(57)【要約】【課題】延長ハンドルを手持ち式電動工具の把持部に着脱する場合において、延長ハンドルの着脱作業をより一層容易にすることができる延長ハンドル付き手持ち式電動工具及び手持ち式電動工具の延長ハンドルを提供することを課題とする。【解決手段】把持部を有する手持ち式電動工具と、該手持ち式電動工具の把持部に着脱自在に取付可能な延長ハンドルとを備え、該延長ハンドルは、ポール部と、該ポール部の一端部に設けられて手持ち式電動工具の把持部に取付けられる取付部と、ポール部の他端部に設けられたハンドル部とを備えている延長ハンドル付き手持ち式電動工具であって、上記延長ハンドルのポール部と取付部との連結部を、回動可能としたことを特徴とする。【選択図】図１
2010099752.tif 000002
【特許請求の範囲】
【請求項１】
把持部を有する手持ち式電動工具と、該手持ち式電動工具の把持部に着脱自在に取付可能な延長ハンドルとを備え、該延長ハンドルは、ポール部と、該ポール部の一端部に設けられて手持ち式電動工具の把持部に取付けられる取付部と、ポール部の他端部に設けられたハンドル部とを備えている延長ハンドル付き手持ち式電動工具であって、上記延長ハンドルのポール部と取付部との連結部を、回動可能としたことを特徴とする延長ハンドル付き手持ち式電動工具。
【請求項２】
上記連結部は、ポール部の一端に設けられた被係合部と取付部に設けられた係合部と、該被係合部と係合部とを回動可能に連結する支軸を備え、該連結部に、上記ポール部を支軸を中心に回動させたとき、延長ハンドルの一部が上記手持ち式電動工具を載置する面にほぼ接する角度においてポール部の回動を規制するストッパーを設けたことを特徴とする請求項１に記載の延長ハンドル付き手持ち式電動工具。
【請求項３】
上記連結部は、延長ハンドルの取付部に設けられた締結手段から操作の邪魔にならない位置に離して設けたこと特徴とする請求項１又は２に記載の延長ハンドル付き手持ち式電動工具。
【請求項４】
上記連結部は、上記手持ち式電動工具の前後方向中央から後方位置に設けたこと特徴とする請求項１乃至３のいずれかに記載の延長ハンドル付き手持ち式電動工具。
【請求項５】
一端部に取付部が設けられ他端部にハンドル部が設けられたポール部を備え、手持ち式電動工具の把持部に、上記取付部により着脱自在に取付けられる手持ち式電動工具用の延長ハンドルであって、該延長ハンドルのポール部と取付部との連結部を、回動可能としたことを特徴とする手持ち式電動工具用の延長ハンドル。
【発明の詳細な説明】
【技術分野】
【０００１】
本発明は、把持部を把持して作業を行うことができると共に、延長ハンドルを取付けて使用することもできる延長ハンドル付き手持ち式電動工具、及び、手持ち式電動工具用の延長ハンドルに関するものである。
【背景技術】
【０００２】
従来、この種の手持ち式電動工具としては手持ち式電動バリカン等が存在し、芝の刈取り作業等を行うに際しては、その把持部を把持し、さらに膝を折り曲げた状態で作業を行っていた。一方、着脱式の延長ハンドルを備える場合には、その延長ハンドルを手持ち式電動工具に取付けることにより、立ったままの状態で作業を行うことができるため、特に腰や膝の疲労が軽減されるという利点がある。
【０００３】
そこで、出願人は、延長ハンドルを簡易な構造でもって、手持ち式電動工具に容易に着脱することができる技術について既に提案している（下記特許文献１参照）。
【特許文献１】特開２００７−１５０８９号公報
【発明の開示】
【発明が解決しようとする課題】
【０００４】
しかし、上記技術では、延長ハンドルを手持ち式電動工具に取付けようとするとき、そのポール部が常に上方に起立しているため、延長ハンドルの重量で延長ハンドル自体が、さらには手持ち式電動工具が傾き、あるいは、倒れて延長ハンドルの着脱が容易に行えないという問題点がある。
【０００５】
そこで、本発明は上記従来の問題点に鑑みてなされ、延長ハンドルを手持ち式電動工具の把持部に着脱する場合において、延長ハンドルの着脱作業をより一層容易にすることができる延長ハンドル付き手持ち式電動工具及び手持ち式電動工具の延長ハンドルを提供することを課題とする。
【課題を解決するための手段】
【０００６】
本発明は上記課題を解決すべくなされたものであって、本発明に係る延長ハンドル付き手持ち式電動工具は、把持部を有する手持ち式電動工具と、該手持ち式電動工具の把持部に着脱自在に取付可能な延長ハンドルとを備え、該延長ハンドルは、ポール部と、該ポール部の一端部に設けられて手持ち式電動工具の把持部に取付けられる取付部と、ポール部の他端部に設けられたハンドル部とを備えている延長ハンドル付き手持ち式電動工具であって、上記延長ハンドルのポール部と取付部との連結部を、回動可能としたことを特徴とする。
【０００７】
該構成の延長ハンドル付き手持ち式電動工具は、延長ハンドルのポール部と取付部との連結部を、回動可能としているので、該延長ハンドルを手持ち式電動工具に対し着脱操作する場合、ポール部を取付部及び手持ち式電動工具に対して低い位置まで回動し、倒すことができる。
【０００８】
特に本発明の連結部は、ポール部の一端に設けられた被係合部と取付部に設けられた係合部と、該被係合部と係合部とを回動可能に連結する支軸を備え、該連結部に、上記ポール部を支軸を中心に回動させたとき、延長ハンドルの一部が上記手持ち式電動工具を載置する面にほぼ接する角度においてポール部の回動を規制するストッパーを設けていることが好ましい。該ストッパーにより延長ハンドルの一部が上記手持ち式電動工具を載置する面にほぼ接する角度においてポール部の回動が規制されるので、迷うことなく、より着脱操作が容易な位置にポール部を回動し、倒すことができる。
【０００９】
また、本発明の連結部は、延長ハンドルの取付部に設けられた締結手段から操作の邪魔にならない位置に離して設けていることが好ましい。連結部が締結手段から操作に邪魔にならない位置に離れて設けられているので、より延長ハンドルの着脱操作、及びポール部の回動位置決め操作が容易となる。
【００１０】
さらに、本発明の連結部は、手持ち式電動工具の前後方向中央から後方位置に設けていることが好ましい。連結部が手持ち式電動工具の前後方向中央から後方位置に設けられていると、より延長ハンドルの着脱操作、及びポール部の回動位置決め操作が容易であるだけでなく、延長ハンドル付き手持ち式電動工具のブレードの先端を上方に浮き上がらせ、手持ち式電動工具を任意な角度に容易に傾かせることが可能となるので、芝等の刈り高さを簡単に調整することができる。
【００１１】
また、本発明に係る手持ち式電動工具の延長ハンドルは、一端部に取付部が設けられ他端部にハンドル部が設けられたポール部を備え、手持ち式電動工具の把持部に、上記取付部により着脱自在に取付けられる手持ち式電動工具用の延長ハンドルであって、該延長ハンドルのポール部と取付部との連結部を、回動可能としたことを特徴とする。
【発明の効果】
【００１２】
以上のように、延長ハンドルのポール部と取付部との連結部を、回動可能としているので、手持ち式電動工具用の延長ハンドルを手持ち式電動工具に着脱する際、ポール部を取付部、あるいは手持ち式電動工具に対して低い位置まで回動し倒すことで、延長ハンドル自体が、さらには手持ち式電動工具が傾きにくく、あるいは、倒れにくくなるので、延長ハンドルの着脱操作を容易に行うことができ、操作性が向上する。
【発明を実施するための最良の形態】
【００１３】
以下本発明の一実施形態に係る延長ハンドル付き手持ち式電動工具及び手持ち式電動工具用の延長ハンドルについて図面を参酌しつつ説明する。
【００１４】
図１は、本実施形態に係る延長ハンドル付き手持ち式電動バリカンを示す一部断面正面図である。図２は、本実施形態に係る延長ハンドル付き手持ち式電動バリカンの延長ハンドルの一部を省略した平面図である。該延長ハンドル付き手持ち式電動バリカンは、それ単体で使用される手持ち式電動バリカン１と、その把持部１１に着脱自在に取付可能な延長ハンドル２とを備えている。
【００１５】
手持ち式電動バリカン１は、それ単体で芝刈り等に使用されるものであって、前端部に刃部としてブレード３を備えており、把持部１１を把持しながらブレード３で芝等を刈り込むことができる。把持部１１は本体ハウジング４に設けられている。該本体ハウジング４は、左右二つ割の部材同士を、内部空間を形成するように組み合わせ一体化したものであって、図１に示すように、その略中央には左右に貫通する貫通孔５を形成するように全体として正面視略Ｄ字形状に形成されている。該本体ハウジング４の前側のヘッド部１２には、ブレード３を駆動する駆動部としての図示しないモータが内蔵されている。そして、ヘッド部１２から後方に向けて前記把持部１１が延設されている。
【００１６】
該把持部１１は、図４、図５に示すように、筒状、具体的には、断面円形状あるいは縦長楕円形状であって、前記貫通孔５の上部に位置している。把持部１１は、図１に示すようにヘッド部１２から後方に向けて初めは略水平にその後は徐々に下方に湾曲し、前記貫通孔５の下部に位置するベース部１３の後部に一体的に連結されている。尚、把持部１１は、平面視としては図２のように前後方向に延びている。また、ベース部１３の前部に前記ヘッド部１２が一体的に連結されている。
【００１７】
かかる把持部１１は、手持ち式電動バリカン１を単体で使用する場合に手で把持される部位であって、その表面には他の部分よりも滑りにくくするために、エラストマー等からなる薄肉状の滑り止め部材１４を貼り付けて滑り止め領域を形成している。
【００１８】
一方、前記モータに電力を供給するための本体側の電源コード６は、本体ハウジング４の後端部に取り付けられて後方に延びており、その先端には商用電源に接続可能なように図示しないプラグが取り付けられている。該本体側の電源コード６とモータとの間を電気的に接続する電気配線（図示省略）は把持部１１の内部を挿通していて、その途中には、図３に示すように、モータを作動停止（オンオフ）するための駆動スイッチ７が設けられている。該駆動スイッチ７の操作部分は把持部１１の下面から下方に突出しており、把持部１１を把持する手で下側から上方に向けて操作される構成となっている。具体的には、駆動スイッチ７はトリガ型であって、上方即ち把持部１１の内側に向けて駆動スイッチ７を押圧するとその突出量が小さくなってモータに電力が通電されてオン状態となり、上方への押圧力を解除すると突出量の大きい元の初期状態に戻ってモータへの通電が遮断されてオフ状態となる。尚、図３には、駆動スイッチ７が押されてオン状態となった状態が示されている。また、駆動スイッチ７は把持部１１のヘッド部１２に近い側に、具体的には、把持部１１の前側に設けられ、当該手持ち式電動バリカン１を単体で使用する場合に、把持部１１を把持し駆動スイッチ７を操作する手の位置が、当該手持ち式電動式バリカン１の前後方向で重量のバランスがほぼとれた位置に位置している。
【００１９】
更に、図３に破線で示すように、かかる駆動スイッチ７が不用意にオン状態とならないように、それをオフ状態に物理的にロックするためのオフロックスイッチ８が設けられている。該オフロックスイッチ８は、把持部１１に設けられている。詳細には、把持部１１の前側であって、駆動スイッチ７より若干前側に位置している。
【００２０】
本体ハウジング４のベース部１３の下方には、該本体ハウジング４を支持するスライダ１０が取り付けられている。該スライダ１０が芝等の上を滑って前後に進むこととなる。通常、手持ち式電動バリカン１に延長ハンドル２を着脱操作する際には、スライダ１０が載置面Ｓ（例えば、地面）に置かれた状態で作業を行うこととなる。
【００２１】
また、スライダ１０は、刈り込み高さの基準にもなるものであって、地面からのブレード３の高さを調整することによって刈り込み高さを調整できるように、本体ハウジング４に対してその取り付け位置を上下方向に調整可能に取り付けられている。
【００２２】
更に、スライダ１０は、前方位置に刃先ガード部１０ａを備え、該刃先ガード部１０ａを含めてスライダ１０の前後方向の長さは工具本体１のそれよりも長くなっており、手持ち式電動工具１が前後方向に傾斜してブレード３の刃先の高さが変動することが抑制される。また、スライダ１０は、皿状に形成されていて、刈り込まれた芝等を受けてその上に載せるチップレシーバとしても機能する。
【００２３】
かかる手持ち式電動工具１の把持部１１に取り付けられる延長ハンドル２は、図１、図６に示すように、筒体２０ａと筒体２０ａの先端に止めネジ５２、５３で固定される左右二つ割の連結部材Ａ、Ｂ５４、５５とからなるポール部２０と、該ポール部２０の一端部に設けられて手持ち式電動工具１の把持部１１に着脱自在に取り付けられる取付部２１と、ポール部２０の他端部（筒体２０ａの後端）に設けられたハンドル部２２とを備えている。
【００２４】
ハンドル部２２は、延長ハンドル２を手持ち式電動工具１に取り付けて使用する際に把持部１１の代わりに把持される部位であって、モータのオンオフ操作を行うことができるようになっている。即ち、手持ち式電動工具１側の駆動スイッチ７と同様に、モータのオンオフ制御をするために操作されるサブ駆動スイッチ２３を備えており、また、該サブ駆動スイッチ２３をオフ状態にロックするためのサブオフロックスイッチ（図示省略）も備えている。従って、延長ハンドル２を使用する際には、手持ち式電動工具１側の駆動スイッチ７とオフロックスイッチ８に代えて、延長ハンドル２側のサブ駆動スイッチ２３とサブオフロックスイッチとが使用される。また、ハンドル部２２の後端部にはハンドル側電源コード２４が設けられており、該ハンドル側電源コード２４と電気的に接続された電気配線２５がハンドル部２２の内部を通っている。該電気配線２５の途中にサブ駆動スイッチ２３が接続され、その後、電気配線２５はハンドル部２２の前側で一纏めにされて中間コード２６を構成し、該中間コード２６はハンドル部２２からポール部２０の内部に挿通されている。
【００２５】
該中間コード２６の先端側は、ポール部２０の下端部側方の開口部から外部に引き出されて上方に折り返され、ポール部２０の下端部外周面に設けられた繋止部２７に繋止されて折り返しの状態が維持される。この中間コード２６の先端に取り付けられた図示しないプラグは、本体側電源コード６のプラグに接続される。従って、ハンドル側電源コード２４のプラグを商用電源に接続し、サブオフロックスイッチをロック解除してサブ駆動スイッチ２３をオン状態にすると、中間コード２６から本体側電源コード６へと電力が供給される。従って、工具本体１側の駆動スイッチ７がオン状態になっていれば、ハンドル部２２のサブ駆動スイッチ２３を操作することでモータをオンオフ制御することができる。
【００２６】
取付部２１は、その内面が把持部１１の表面形状に合わせて形成された、上側部材３０と下側部材３１と締結用部材３２の合計三つの部材から構成されている。図３乃至図５に示すように、上側部材３０と下側部材３１と締結用部材３２は、前後方向に略水平に延びる軸線を有するヒンジ部３３、３４を介して互いにヒンジ連結されていて、延長ハンドル２を把持部１１に取り付ける場合において把持部１１を周方向に巻回するように構成されている。
【００２７】
具体的には、上側部材３０は、図４、図５に示すように、下方に開口する断面視略Ｃ字状であって前後方向、即ち、把持部１１の軸線方向に延びた形状となっている。上側部材３０は、合成樹脂製であって所定の可撓性を有しており、その可撓性によって断面視略Ｃ字状の下方開口部が左右に広狭する。該上側部材３０は、図３乃至図５に示すように、把持部１１に上方から取り付けられるが、その取付位置は把持部１１の滑り止め領域であり、上側部材３０を把持部１１に上方から嵌め込むように取り付けることで上側部材３０自体の可撓性によって滑り止め領域に仮固定される。
【００２８】
また、上側部材３０の一方の側部の前側位置にヒンジ部３３が形成され、該ヒンジ部３３に下側部材３１がヒンジ連結されて上下に回動する。逆に、上側部材３０の他方の側部の前側位置には、図４、図５に示すように、前記締結用部材３２を連結するための座部５０が形成されている。該座部５０は、側方に向けて略水平に板状に突設されていて、その先端には側方に開口する切欠５１が形成されている。
【００２９】
一方、上側部材３０にヒンジ連結された下側部材３１は駆動スイッチ７をオン状態にするための駆動スイッチ作動部を有し、下側部材３１を把持部１１に取り付けることにより駆動スイッチ７がオン状態となるように構成されている。具体的には、図３乃至図５に示すように下側部材３１は主として把持部１１の下面を覆う構成であって、その内面に駆動スイッチ７を上方に押す押圧部６０が駆動スイッチ作動部として形成されている。図４に示すように上側部材３０を把持部１１に取り付けた後に引き続いて下側部材３１を把持部１１に接近させるように回動させると、押圧部６０は図５に示すように駆動スイッチ７を上方に押し込み、これによって駆動スイッチ７がオン状態となる。尚、駆動スイッチ７の前後において把持部１１の表面には凹凸が形成されていることから、下側部材３１の内面は、図３に示すように、把持部１１の表面の凹凸形状に合わせて階段状となっており、その一部が押圧部６０となっている。
【００３０】
この下側部材３１にヒンジ部３４を介してヒンジ連結されて上下に回動可能とされた締結用部材３２は、上側部材３０と下側部材３１との間を架橋する部材であって、上側部材３０と締結用部材３２とを互いに連結するための締結ネジ３５（締結手段）が螺着されている。該締結ネジ３５は、軸部３５ｂの一端部に摘み部３５ａを備えていて、図５に示すように、上側部材３０と締結用部材３２とを連結させた際に上側からその摘み部３５ａを操作可能となっている。締結用部材３２に形成されているネジ受け部７０には、ナット７１が挿入固定されており、そのナット７１に締結ネジ３５の軸部３５ｂの他端部が螺入され、通常は、図４に示すようにネジ受け部７０と摘み部３５ａとの間に所定間隔を形成するように螺入される。尚、この所定間隔は、通常、上側部材３０の座部５０の厚みよりも若干大きめに設定しておく。そして、ヒンジ部３４を回動支点として締結用部材３２を上方に引き上げるように回動させると、図５に示すように、締結ネジ３５の軸部３５ｂが上側部材３０の座部５０の切欠５１に入り込み、摘み部３５ａとネジ受け部７０との間に座部５０が位置する。その状態から締結ネジ３５の摘み部３５ａを回転操作することにより上側部材３０と締結用部材３２とを連結一体化させることができ、上側部材３０、下側部材３１及び締結用部材３２が環状となって把持部１１を周回する。
【００３１】
以上のように構成された延長ハンドル２付きの手持ち式電動バリカンにあっては、延長ハンドル２を使用せずに手持ち式電動バリカン１を単独で使用することも、延長ハンドル２を取り付けて使用することもできる。
【００３２】
次に、図６乃至図８は、本発明の延長ハンドル２のポール部２０と該延長ハンドル２を手持ち式電動工具１の把持部１１に締結するための取付部２１との連結部５６に係る図である。ポール部２と取付部２１はこれらの図に示すように、連結部５６を介して回動可能に連結されている。該連結部５６は、取付部２１を構成する上側部材３０の後端部の上部に一体に形成され貫通孔３６ａを有する係合部としての凸部３６と、該凸部３６に係合する被係合部を構成する止めネジ５２、５３で筒体２０ａの先端に固定され、その各先端部に貫通孔５４ａ、５５ａを有する左右二つ割の連結部材Ａ、Ｂ５４、５５と、該連結部材Ａ、Ｂ５４、５５と上記凸部３６とが係合した状態で、当該三つの部材の貫通孔３６ａ、５４ａ、５５ａを同軸上で貫通する支軸５７とで構成されてる。
【００３３】
上記被係合部を構成する連結部材Ａ、Ｂ５４、５５は、図６に示すように、止めネジ５２、５３で筒体２０ａの先端に固定された状態で、先端部に凹部を形成し、この凹部に係合部としての凸部３６を所定の隙間も持って係合させている。
【００３４】
また、支軸５７の一端には図示しない雄ネジが形成され、他端には支軸５７を回転させるための締付ノブ５７ａが固定されている。上記雄ネジは、上記連結部材Ｂ５５に形成され断面が六角形状（図８（ｂ）参照）をした貫通孔５５ａに、軸方向に移動可能に挿入された六角ナット５８に螺合している。上記締付ノブ５７ａを一方に回転させると支軸５７が回転し、上記六角ナット５８と締付ノブ５７ａとの間に挟まれた連結部材Ａ５４と凸部３６が締付けられ回動できないように固定される。締付ノブ５７ａを逆に他方に回転させれば締付けが解除され回動可能となる。貫通孔５５ａは、フサギ５９により一方の開口をふさがれ、六角ナット５８の抜け落ちを防いでいる。
【００３５】
また、図３、図６に示すように、上記凸部３６の連結部材Ｂ５５の側の側面にはリング状の凹部３６ｂが貫通孔３６ａの軸心と同軸に形成されている。該凹部３６ｂには圧縮状態のコイルバネ３８が挿入され、常時抜け止め板６１を介して上記六角ナット５８に支軸５７の軸心方向への負荷を掛けている。このため、締付ノブ５７ａによる締付けを解除した場合でも、急にポール部２０が回動し延長ハンドル２が倒れることがないので、よりポール部２０の回動角度(位置）の調整が容易となる。
【００３６】
更に、図６、連結部５６の連結部材Ａ５４を取り除いた状態の拡大図である図７、及び連結部材Ａ５４の側面図である図８ａに示すように、上記凸部３６と連結部材Ａ５４とが対向する各側面には、支軸５７が貫通する貫通孔３６ａ、５４ａの軸心を中心として放射線状に凹凸部３６ｄ、５４ｄが形成されている。該凹凸部３６ｄと凹凸部５４ｄとの係合によりポール部２０の回動にクリック感を持たせるとともに、ポール部２０の取付部２１への固定をより確実なものとしている。
【００３７】
本発明の連結部５６は、上記のように構成されているので、本発明の延長ハンドル２が手持ち式電動工具１に取付けられている状態、或いは取付けようとする状態において、延長ハンドル２のポール部２０が取付部２１に対し、また手持ち式電動工具１に対し回動可能であるため、当該延長ハンドル２を手持ち式電動工具１に着脱しようとする場合には、図９に示すようにポール部２０を延長ハンドル２のハンドル部２２の下端部が地面等の載置面Ｓにほぼ接する角度まで回動し倒すことで、延長ハンドル２の重心が、また延長ハンドル付き手持ち式電動工具の重心が載置面Ｓ近くになり、更に、載置面Ｓにハンドル部２２の下端部が当たることになって載置面Ｓにハンドル部２２が支持されるので、延長ハンドル２自体が、さらには延長ハンドル付き手持ち式電動工具全体が傾きにくく、或いは倒れにくくなるので、延長ハンドル２の着脱操作を容易に行うことができる。また、締付ノブ５７ａの締付け又は解除により、ポール部２０を任意な角度(位置）に固定可能となり、作業状況、或いは作業者の体格に応じたポール部２０の角度調整が可能となる。
【００３８】
また、図２、図６、図７、及び連結部材Ａ５４と連結部材Ｂ５５の側面図である図８に示すように、上記凸部３６の左右両側の対称位置には、逆へ字をしたストッパー３７が一体に形成され、逆へ字の一端部を第１ストップ部３７ａ、他端部を第２ストップ部３７ｂとしている。一方、連結部材Ａ５４と連結部材Ｂ５５の各先端部には、外周方向に突出した第１ストップ部３７ｃに当接する第１係止部５４ｂ、５５ｂと、第２ストップ部３７ｂに当接する第２係止部５４ｃ、５５ｃを形成している。
【００３９】
なお、ストッパー３７の第１ストップ部３７ａと連結部材Ａ５４、連結部材ｂ５５の第１係止部５４ｂ、５５ｂとが当接する位置は、芝刈り等の作業を行う場合に、ポール部２０の角度が最適な角度でその回動がストップする位置に設けられている。また、第２ストップ部３７ｂと連結部材Ａ５４、連結部材Ｂ５５の第２係止部５４ｃ、５５ｃとが当接する位置は、延長ハンドル２の着脱操作の場合に、延長ハンドル２の一部が地面等の載置面Ｓにほぼ接する角度でポール部２０の回動がストップする位置に設けられている。
【００４０】
このように本発明の連結部５６では、ストッパー３７と該ストッパー３７に当接する第１係止部５４ｂ、５５ｂ、第２係止部５４ｃ、５５ｃを形成したので、ポール部２０を芝刈り等の作業に最適な位置（角度）に、また延長ハンドル２の着脱操作を容易に行うことができる位置（角度）に、迷うことなく容易に設定でき、操作性が向上する。
【００４１】
例えば、取付部２１を把持部１１に取り付ける際に、まず上側部材３０を把持部１１に仮固定するのであるが、手持ち式電動工具１が地面に載置され、延長ハンドル２のハンドル部２２の下端部が地面等の載置面Ｓにほぼ接した状態であるので、上側部材３０を上方から力を掛けて押し下げ取り付けることができるので、楽に取付作業を行うことができる。
【００４２】
また、連結部５６は、図１、図９に示すように、取付部２１の後方端部にあって、取付部２１に設けられた締結ネジ３５（締結手段）から少なくとも作業者の親指が締結ネジ３５と連結部５６との間に入るだけの間隔を持たせて設けられている。
【００４３】
このため、連結部５６、より具体的には、締付ノブ５７ａの締付け又は解除の操作を行う場合、把持部１１とともに取付部２１に手を添え易くなり、締結ネジ３５が操作の邪魔になるということが少なくなる。また、延長ハンドル２を手持ち式電動工具１に着脱する場合には、連結部５６の締付ノブ５７ａが締結ネジ３５の操作の邪魔になるということが少なくなり、操作性が向上する。
【００４４】
さらに、連結部５６は、図１、図１０に示すように、取付部２１の後方端部にあって、手持ち式電動工具１の前後方向中央から後方位置、より具体的には、把持部１１の後方にあって、スライダ１０の後方端部に近い位置に設けられている。
【００４５】
このため、図１０に示すように、延長ハンドル２を下方に押し下げる操作を行うと、スライダ１０の後端Ｃを支点にして、延長ハンドル付き手持ち式電動工具が上方に傾き、その先端部に設けられたブレード３の刃先が容易に載置面Ｓから上方に持ち上がり、その状態で芝等の刈り取り作業を行うことができる。よって、刈り取り高さＨの調整が簡単に、思い通りに可能となる。
【図面の簡単な説明】
【００４６】
【図１】本発明の一実施形態における延長ハンドル付き手持ち式電動工具を示す一部断面を含む正面図。
【図２】同実施形態における延長ハンドル付き手持ち式電動工具の一部断面を含む平面図。
【図３】同実施形態における延長ハンドル付き手持ち式電動工具の連結部を示す一部断面を含む背面図。
【図４】図１のＡ−Ａ線断面において延長ハンドルを手持ち式電動工具に取り付ける途中の状態を示す断面図。
【図５】図１のＡ−Ａ線断面図。
【図６】図１のＢ−Ｂ線断面図。
【図７】同実施形態における延長ハンドル付き手持ち式電動工具の連結部を示す一部断面を含む正面図。
【図８】同実施形態における延長ハンドルを構成する連結部材の側面図。
【図９】同実施形態における延長ハンドル付き手持ち式電動工具の延長ハンドルのポール部を回動し倒した状態を示す一部断面を含む正面図。
【図１０】同実施形態における延長ハンドル付き手持ち式電動工具の一操作状態を示す一部断面を含む正面図。
【符号の説明】
【００４７】
１      手持ち式電動工具
２      延長ハンドル
３      ブレード
４      本体ハウジング
１０    スライダ
１１    把持部
２０    ポール部
２１    取付部
２２    ハンドル部
３６    凸部（係合部）
３７    ストッパー
５４    連結部材Ａ（被係合部）
５５    連結部材Ｂ（被係合部）
５６    連結部
５７    支軸
【図１】
2010099752.tif 000003
【図２】
2010099752.tif 000004
【図３】
2010099752.tif 000005
【図４】
2010099752.tif 000006
【図５】
2010099752.tif 000007
【図６】
2010099752.tif 000008
【図７】
2010099752.tif 000009
【図８】
2010099752.tif 000010
【図９】
2010099752.tif 000011
【図１０】
2010099752.tif 000012